(57)【特許請求の範囲】
【請求項１】
混合水栓の吐水管先端に装着される断熱キャップに於いて、前記断熱キャップは接続部材と抜け止め部材とを介して吐水管先端に装着され、前記抜け止め部材は吐水管の先端面にビスにより取付けられ、接続部材が差し込まれる凹欠部が形成されており、前記接続部材は抜け止め部材の凹欠部に差し込む挿着溝とフランジ部とが隣り合わせて形成され、該フランジ部が抜け止め部材と吐水管との間で挟着されることにより接続部材は回転自在で吐水管から抜けないように取着され、接続部材に対し断熱キャップを嵌着させることで、該断熱キャップを吐水管に対し回転自在としたことを特徴とする回転機能付断熱キャップ。
【請求項２】
前記断熱キャップは一体的に結合した接続部材の突部が吐水官の内周面に形成した一対のストッパー部の間のみで回転することで、回転角度を規制されたことを特徴とする請求項１記載の回転機能付断熱キャップ。
【発明の詳細な説明】
【０００１】
【発明の属する技術分野】
本発明は混合水栓の吐水管先端に装着される断熱キャップに関する。
【０００２】
【従来の技術】
従来の混合水栓は熱湯の連続吐水により吐水管が熱くなっている時に吐水管を水平方向に旋回させる場合、吐水管先端に断熱性のある合成樹脂を素材とする断熱キャップを装着することで、手を触れても湯の熱が伝わらず火傷をしないようにしている。
【０００３】
しかしながら通常断熱キャップは吐水管から抜けないように強固に結合されており、断熱キャップのみを吐水管に対し回転させる機能は備えておらず吐水方向は下向きで常に一定方向であり、吐水範囲が狭く使い勝手の悪いものであった。
【０００４】
【発明が解決しようとする課題】
本発明が解決しようとする課題は、混合水栓の吐水管先端に断熱キャップを装着した状態でも吐水範囲を広くすることで、流し台や洗面台での使い勝手を向上させることである。
【０００５】
【課題を解決するための手段】
本発明は、請求項１では混合水栓の吐水管先端に装着される断熱キャップに於いて、前記断熱キャップは接続部材と抜け止め部材とを介して吐水管先端に装着され、前記抜け止め部材は吐水管の先端面にビスにより取付けられ、接続部材が差し込まれる凹欠部が形成されており、前記接続部材は抜け止め部材の凹欠部に差し込む挿着溝とフランジ部とが隣り合わせて形成され、該フランジ部が抜け止め部材と吐水管との間で挟着されることにより接続部材は回転自在で吐水管から抜けないように取着され、接続部材に対し断熱キャップを嵌着させることで、該断熱キャップを吐水管に対し回転自在としたものである。
【０００６】
また、請求項２では前記断熱キャップは一体的に結合した接続部材の突部が吐水管の内周面に形成した一対のストッパー部の間でのみ回転することで、回転角度を規制されたものである。
【０００７】
【発明の実施の形態】
以下、本発明の実施例を図に基づいて詳細に説明する。
この実施例の混合水栓１は流し台又は洗面台等に固定され、図１に示すように吐水管３が水平方向に旋回可能に取付けられており、レバー２の操作により吐水管３内から混合水を外部へ供給可能としている。吐水管３の先端には図２乃至図４に示すように、抜け止め部材１５を介して接続部材６と一体に結合した断熱キャップ１９が装着されている。
【０００８】
前記接続部材６は横長で内部に通水路７を形成した略円柱状で、前記吐水管３の出口と向かい合う先端面から一部を円弧状へ突出して突部８を形成し、先端面よりの外周面中途部に形成した挿着溝９とフランジ部１０を隣り合わせ、前記通水路７は他端の下部に外部と連通する開口部１１が形成される。又、接続部材６の外周面にはシール用のＯリング１２を嵌合するためのリング溝１３が適宜の間隔で複数個形成されている。
【０００９】
前記抜け止め部材１５は吐水管３に対し接続部材６を回転自在に取付け、しかも接続部材６が吐水管３から抜けないようにするためのものであり、略円盤形の抜け止め部材１５は下方から切欠いた逆Ｕ字形の凹欠部１６を形成し、該凹欠部１６の左右両端に対のビス孔１７、１７が穿設されており、吐水管３に接続部材６を取付けるには後述する断熱キャップ１９を接続部材６に結合する前にまず接続部材６の装着溝９に抜け止め部材１５の凹欠部１６を差し込み、各ビス１８、１８を抜け止め部材１５のビス孔１７、１７に挿通して吐水管３の各ネジ孔４、４に締結すれば、接続部材６は突部８が吐水管３の出口内周面に適宜の間隔をおいて形成した各ストッパー部５、５ａに当接する範囲内で回転することができ、しかも接続部材６はフランジ部１０が吐水管３の先端と抜け止め部材１５の間で挟着されることで、吐水管３から抜けることがない。
【００１０】
なお、吐水管３から各ストッパー部５、５ａを削除するか又は接続部材６の突部８を削除することで、接続部材６を３６０°回転可能としてもよい。
【００１１】
前記断熱キャップ１９は横長で断熱性を有する合成樹脂からなり、吐水管３に回転自在に結合した接続部材６の外周に嵌着させた後に、下方から止め具２０を断熱キャップ１９のネジ孔２１に挿通し、接続部材６の螺孔１４に螺合して一体化することで接続部材６に対し抜け止めと回転を防止し、吐水管３に対しては接続部材６と共に回転可能としている。
【００１２】
断熱キャップ１９の先端下面には前記接続部材６の通水路７と上下に連通する吐水部２２を開設し、該吐水部２２の下部には吐水部２２と吐水キャップ２３の間に整流器２４を介在させた状態でこの吐水キャップ２３を螺着して、整流器２４を通過した混合水が外部に吐出される。
【００１３】
このように本発明では断熱キャップ１９を手に持って回せば接続部材６と共に回転し、Ｏリング１２の摩擦抵抗で任意の位置で保持され図５に示すように吐水キャップ２３の向きを下方だけでなく左右又は上方へも変更できるので、流し台や洗面台で使用する場合に吐水領域を大幅に拡大することができる。
【００１４】
【発明の効果】
この発明は上記の構成であるから、次の利点を有する。
（１）混合水栓の吐水管先端に装着される断熱キャップは接続部材と抜け止め部材とを介して吐水管先端に装着され、前記抜け止め部材は吐水管の先端面にビスにより取付けられ、接続部材が差し込まれる凹欠部が形成されており、前記接続部材は抜け止め部材の凹欠部に差し込む挿着溝とフランジ部とが隣り合わせて形成され、該フランジ部が抜け止め部材と吐水管との間で挟着されることにより接続部材は回転自在で吐水管から抜けないように取着され、接続部材に対し断熱キャップを嵌着させることで、吐水管に対し回転自在としたので、熱湯の吐出時でも断熱キャップを自由に回転して吐水方向を変更することができ、吐水領域が拡大するので、流し台や洗面台での混合水栓の使い勝手が大幅に向上する。
（２）断熱キャップの回転角度は吐水管のストッパー部により規制されるので、混合水がシンクや洗面ボール等からはみ出して床等を水浸しにする恐れがない。
【図面の簡単な説明】
【図１】回転機能付断熱キャップを混合水栓に取付けた状態を示す側面図である。
【図２】回転機能付断熱キャップの縦断面図である。
【図３】図２に於けるＸ−Ｘ線の側断面図である。
【図４】回転機能付断熱キャップの分解斜視図である。
【図５】回転機能付断熱キャップの回転時の説明図である。
【符号の説明】
１        混合水栓
３        吐水管
５、５ａ  ストッパー部
６        接続部材
８        突部
１９      断熱キャップ
【図１】
0003760020.tif 000002
【図２】
0003760020.tif 000003
【図３】
0003760020.tif 000004
【図４】
0003760020.tif 000005
【図５】
0003760020.tif 000006